(57)【要約】【課題】  地域に関する情報をワンストップで取得可能な地域情報検索システムを提供する。【解決手段】  地域情報検索システム１００はＷＥＢページ生成部１０と、情報検索部２０と、検索情報並べ替え・補正部２１と、を有するポータルＷＥＢサーバを備え、ＷＥＢページ生成部２０は、検索対象地域を選択する地域情報選択項目をポータルＷＥＢページ生成部１０に送信し、情報検索部２０は、ユーザ端末Ｔ１，Ｔ２，Ｔ３からの選択した検索対象地域と検索キーワードによる検索要求に対して、検索を実行し、検索情報並べ替え・補正部は２１、検索結果を前記ユーザ端末より検索要求を受けた地域情報を中心として、中心地から近い順に並べ替えた後に、検索結果を前記ＷＥＢページ生成部１０に送信し、ユーザ端末Ｔ１，Ｔ２，Ｔ３に送信する。【選択図】図１
2018005867.tif 000002
【特許請求の範囲】
【請求項１】
ユーザ端末とインターネット回線を介して接続され、前記ユーザ端末により複数のエリアから選択された検索対象エリア内の地域情報を検索するための地域情報検索システムであって、
前記ユーザ端末に情報検索を含むポータルＷＥＢページ、検索画面、検索結果、検索結果に関連する情報を提供するＷＥＢページを生成し、生成したＷＥＢページをユーザ端末に送信するＷＥＢページ生成部と、
前記ユーザ端末からの検索要求に対して情報検索を行う情報検索部と、前記検索した情報の並べ替え・補正を行う検索情報並べ替え・補正部と、を有するポータルＷＥＢサーバを備え、
前記ＷＥＢページ生成部は、検索対象地域を選択する地域情報選択項目を前記ポータルＷＥＢページ生成部に送信し、
前記情報検索部は、前記ユーザ端末からの選択した検索対象地域と検索キーワードによる検索要求に対して、検索を実行し、
前記検索情報並べ替え・補正部は、検索結果を前記ユーザ端末より検索要求を受けた地域情報を中心として、中心地から近い順に並べ替えた後に、検索結果を前記ＷＥＢページ生成部に送信し、
前記ＷＥＢページ生成部は、前記実行した検索結果を前記中心情報から近い順に表示するＷＥＢページを生成して前記ユーザ端末に送信することを特徴とする地域情報検索システム。
【請求項２】
前記ＷＥＢページ生成部は、予め用意したキーワードを有しており、選択した地域とキーワードとをマトリックス表示するマトリックス表示ＷＥＢを生成することを特徴とする請求項１に記載の地域情報検索システム。
【請求項３】
前記検索情報並べ替え・補正部は、予め用意した地域の中心地に関する情報を検索可能に格納した検索テーブルを備えたことを特徴とする請求項１または請求項２に記載の地域情報検索システム。
【請求項４】
前記検索情報並べ替え・補正部は、ユーザ端末から送信される検索地域内の現在地または情報取得活動中心部の情報により前記検索テーブルの格納情報を補正する補正手段を有することを特徴とする請求項３に記載の地域情報検索システム。
【請求項５】
前記情報検索部は、前記キーワードに予めキーワードと関連する二次キーワードを紐づけした検索情報を格納した紐づけ検索情報部を有しており、前記ユーザ端末から前記キーワードに対する検索要求があった際に、前記キーワードの検索とあわせて前記二次キーワードの検索も実行し、前記キーワードの検索結果と前記二次キーワードの検索結果を前記ＷＥＢページ生成部に送信することを特徴とする請求項１から請求項４のいずれか１項に記載の地域情報検索システム。
【請求項６】
地域情報検索システムは、キーワードにより検索した際に取得したいと想定される予め設定した複数の要約情報から成るダイジェスト情報を生成するダイジェスト情報生成部を備え、
前記ダイジェスト情報生成部からのダイジェスト情報に基づいて、前記ＷＥＢ生成部は、検索結果として検索結果の詳細情報と関連付けされたダイジェスト情報を表示するＷＥＢページを生成してユーザ端末に送信することを特徴とする請求項１から請求項５のいずれか１項に記載の地域情報検索システム。
【請求項７】
前記ダイジェスト情報生成部は、予め設定された複数の要約情報項目を対象別に格納したダイジェスト情報テーブルを備えたことを特徴とする請求項６に記載の地域情報検索システム。
【請求項８】
ユーザ端末とインターネット回線を介して接続され、前記ユーザ端末により複数のエリアから選択された検索対象エリア内の地域情報を検索するための地域情報検索システムであって、
前記ユーザ端末に情報検索を含むポータルＷＥＢページ、検索画面、検索結果、検索結果に関連する情報を提供するＷＥＢページを生成し、生成したＷＥＢページをユーザ端末に送信するＷＥＢページ生成部と、
前記ユーザ端末からの検索要求に対して情報検索を行う情報検索部と、
キーワードにより検索した際に取得したいと想定される予め設定した複数の要約情報から成るダイジェスト情報を生成するダイジェスト情報生成部を備え、
前記ダイジェスト情報生成部からのダイジェスト情報に基づいて、前記ＷＥＢ生成部は、検索結果として検索結果の詳細情報と関連付けされたダイジェスト情報を表示するＷＥＢページを生成してユーザ端末に送信することを特徴とする地域情報検索システム。
【請求項９】
前記ＷＥＢページ生成部は、前記端末から予め設定されたフォーマットに従って送信可能なコンテンツ情報送信機能を生成し、前記コンテンツ情報送信機能に基づいて前記ユーザ端末から送信されたコンテンツ情報をコンテンツサーバに格納することを特徴とする請求項６から請求項８のいずれか１項に記載の地域情報検索システム。
【請求項１０】
前記地域情報検索システムは、予め設定されたフォーマットに従ってＷＥＢ検索を実行し、前記ＷＥＢ検索に従って収集した情報を前記コンテンツサーバに格納することを特徴とする請求項６から請求項９のいずれか１項に記載の地域情報検索システム。
【請求項１１】
前記ＷＥＢページ生成部は、検索の際に使用した検索キーワードの表示スペース、検索結果表示スペース、紐づけ情報表示スペース、地図情報表示スペースを有するＷＥＢページを生成することを特徴とする請求項６から請求項１０のいずれか１項に記載の地域情報検索システム。
【請求項１２】
さらに、特定分野の検索を行う目的検索スペース。検索結果の翻訳を行う翻訳スペース、前記地域情報検索システムとネットワーク回線で接続された広告管理サーバより送信された広告情報を表示する広告スペースの少なくとも１つを表示する表示スペースを有するＷＥＢページを生成することを特徴とする請求項１１に記載の地域情報検索システム。
【請求項１３】
請求項１１または請求項１２で生成されたＷＥＢページ。
【請求項１４】
請求項１から請求項７および請求項９から請求項１２のいずれか１項に記載の地域情報検索システムにおいて、ユーザ端末により複数のエリアから選択された検索対象エリア内の地域情報の検索を実行する地域情報検索方法であって、
（工程１）  前記ユーザ端末からの検索要求に対して情報検索を行う工程と、
（工程２）  前記工程１で検索した結果を予め登録した中心地を起点として中心地から近い順から遠い順に並び変える工程と、
（工程３）  前記工程２で並び替えた検索結果に基づいてＷＥＢページを生成する工程と、
（工程４）  生成したＷＥＢページを前記ユーザ端末に送信する工程と、
を含むことを特徴とする地域情報検索方法。
【請求項１５】
前記工程２において予め登録した中心地の補正を行うことを特徴とする請求項１４に記載の地域情報検索方法。
【請求項１６】
前記工程１は、前記ユーザ端末から要求されたキーワード検索に加えて前記検索項目に紐づけされた二次的キーワードによる検索も実行することを特徴とする請求項１４または請求項１５に記載の地域情報検索方法。
【請求項１７】
前記工程３で並び替えた検索結果から検索結果の詳細情報と関連付けされたダイジェスト情報を表示するＷＥＢページを生成する工程を含むことを特徴とする請求項１４から請求項１６のいずれか１項に記載の地域情報検索方法。
【請求項１８】
請求項８に記載の地域情報検索システムにおいて、ユーザ端末により複数のエリアから選択された検索対象エリア内の地域情報の検索を実行する地域情報検索方法であって、
（工程１）  前記ユーザ端末からの検索要求に対して情報検索を行う工程と、
（工程２）  工程１の検索結果から検索結果の詳細情報と関連付けされたダイジェスト情報を表示するＷＥＢページを生成する工程と、
（工程３）  生成したＷＥＢページを前記ユーザ端末に送信する工程と、
を含むことを特徴とする地域情報検索方法。
【請求項１９】
請求項１４から請求項１８に記載の各工程を実行するためのプログラム。
【請求項２０】
請求項１９に記載のプログラムが格納されたコンピュータ可読記録媒体。
【発明の詳細な説明】
【技術分野】
【０００１】  本発明は、インターネットを利用した情報検索を提供するための情報処理技術に関わる。より詳しくは地域情報検索システム、地域情報検索方法、プログラムおよびこれを格納した記録媒体に関する。
【背景技術】
【０００２】  従来より、様々な情報（サービス、無対物を含む）についてインターネットを利用した情報検索サイトが増加してきている。具体的には、「Ｇｏｏｇｌｅ」（登録商標：以下、検索サイト１という）のような総合検索サイトの他に、「価格．ｃｏｍ」（登録商標：以下、検索サイト２という）や「ぐるなび」（登録商標：以下、検索サイト３という）、「一休．ｃｏｍ」（登録商標：以下、検索サイト４という）、「ＨＯＭＥ’Ｓ」（登録商標：以下、検索サイト５という）などのような特定のジャンルに限定した目的の検索サイトなどがある。【０００３】  検索サイト１の発表によると地域情報を調べる手段としてはオンラインを活用する割合が約９０％（オンラインのみの活用は４７％）となっている。インターネット上で情報検索を行う場合、一般的には総合検索サイトを経て目的検索サイト等に行き、そこで目的の情報（Ｗｅｂサイト、地図、クーポン、評判などの情報）を取得する。【０００４】  検索サイト１の発表によるとインターネット利用による情報検索の三大動機は「１．何かを知りたい」、「２．どこかへ行きたい」、「３．何かを買いたい」である。【０００５】  また、検索されている情報の上位１２項目は、上から「１．価格（約４０％）」、「２．営業時間（約３８％）」、「３．企業へのアクセス方法（約３３％）」、「４．プロモーション・特価・クーポン・店舗のセールなど（約２８％）」、「５．その場所での商品やサービスの入手のし易さ（約２５％）」、「６．企業の場所＝住所（約２４％）」、「７．レビューやお薦め（約２４％）」、「８．交通情報（約２１％）」、「９．メニュー：食事・娯楽・レジャーのためにのみ表示（約１９％）」、「１０．画像（約１４％）」、「１１．連絡先情報（約１２％）」、「１２．支払い方法（約１０％）」となっている。【０００６】  総合検索サイトでは基本的に画像を除き前記１２項目の殆どの情報を取得することができない。そこで、検索サイトの検索サイト１ではで前記情報の一部（「営業時間」、「企業へのアクセス方法」「企業の場所≒住所」「レビューやお薦め」など）の取得が案件によっては可能となっている（非特許文献１）。しかし、検索者にとって最も関心の高い「価格」情報などを取得することはできない。【０００７】  一方、目的検索サイトではインターネット検索で最も検索頻度の高い「価格」や「営業時間」、「企業へのアクセス方法」など前記１２項目の情報の多くを取得することが可能であるが、検索できる情報の対象が特定の一ジャンルに絞られる上に、多くの場合、検索先情報が検索サイト運営母体との契約先企業に限定されるなど、利益誘導型の情報提供となっている。【０００８】  利益誘導型の情報提供への対応として目的一括検索サイトが登場している。しかし、前段の問題（情報の対象が特定の一ジャンルに絞られて提供）への対応は未だ不十分である。【０００９】  例えば、ある人がインターネット上で観光地の情報を検索した場合、検索者の多くはアクセスのための交通情報と同時に周辺の宿泊施設、ショッピング、食事処、その地の天気、等の関連情報を欲する。しかし、現状ではそのために複数のサイトへのアクセスが必要となる。【００１０】  以上のことから、多くのインターネット上での検索者は総合検索サイトと複数のＷｅｂサイト（目的検索サイトを含む）間を行きつ戻りつしたり、或いは目的の情報取得のためにネットサーフィン（複数のサイトを連続してアクセスし続けること）を行い長時間を消費することになる。【００１１】  インターネット上での情報検索では論文や百科事典を調べる様にある事象に対し深く大量の情報を収集することも可能だが、実際には、名称や住所・電話番号・電子メールアドレスなどの連絡先情報、価格・料金、営業時間、アクセス方法など表層的な情報取得で事足りる場合も多い。しかし、現状ではこのような表層的な情報取得ですらわざわざ目的のＷｅｂサイトにアクセスしなければ取得は難しい。
【先行技術文献】
【００１２】
【非特許文献１】  ｈｔｔｐｓ：／／ｗｗｗ．ｇｏｏｇｌｅ．ｃｏｍ／ｉｎｔｌ／ｊａ＿ＪＰ／ｂｕｓｉｎｅｓｓ／  （平成２８年６月２３日検索）
【発明の概要】
【発明が解決しようとする課題】
【００１３】  本発明の課題は、従来技術の問題点を改良し、地域に関する情報をワンストップで取得可能な地域情報検索システム、地域情報検索方法、プログラムおよびこれを格納した記録媒体を提供することである。
【課題を解決するための手段】
【００１４】  上記課題は、下記項目により解決される。
１    ユーザ端末とインターネット回線を介して接続され、前記ユーザ端末により複数のエリアから選択された検索対象エリア内の地域情報を検索するための地域情報検索システムであって、
前記ユーザ端末に情報検索を含むポータルＷＥＢページ、検索画面、検索結果、検索結果に関連する情報を提供するＷＥＢページを生成し、生成したＷＥＢページをユーザ端末に送信するＷＥＢページ生成部と、
前記ユーザ端末からの検索要求に対して情報検索を行う情報検索部と、前記検索した情報の並べ替え・補正を行う検索情報並べ替え・補正部と、を有するポータルＷＥＢサーバを備え、
前記ＷＥＢページ生成部は、検索対象地域を選択する地域情報選択項目を前記ポータルＷＥＢページ生成部に送信し、
前記情報検索部は、前記ユーザ端末からの選択した検索対象地域と検索キーワードによる検索要求に対して、検索を実行し、
前記検索情報並べ替え・補正部は、検索結果を前記ユーザ端末より検索要求を受けた地域情報を中心として、中心地から近い順に並べ替えた後に、検索結果を前記ＷＥＢページ生成部に送信し、
前記ＷＥＢページ生成部は、前記実行した検索結果を前記中心情報から近い順に表示するＷＥＢページを生成して前記ユーザ端末に送信することを特徴とする地域情報検索システム。【００１５】２  前記ＷＥＢページ生成部は、予め用意したキーワードを有しており、選択した地域とキーワードとをマトリックス表示するマトリックス表示ＷＥＢを生成することを特徴とする請求項１に記載の地域情報検索システム。前記ＷＥＢページ生成部は、予め用意した検索項目を有しており、選択した地域と検索項目とをマトリックス表示するマトリックス表示ＷＥＢを生成することを特徴とする１に記載の地域情報検索システム。【００１６】３  前記検索情報並べ替え・補正部は、予め用意した地域の中心地に関する情報を検索可能に格納した検索テーブルを備えたことを特徴とする請求項１または請求項２に記載の地域情報検索システム。【００１７】４  前記検索情報並べ替え・補正部は、ユーザ端末から送信される検索地域内の現在地または情報取得活動中心部の情報により前記検索テーブルの格納情報を補正する補正手段を有することを特徴とする３に記載の地域情報検索システム。【００１８】５  前記情報検索部は、前記キーワードに予めキーワードと関連する二次キーワードを紐づけした検索情報を格納した紐づけ検索情報部を有しており、前記ユーザ端末から前記キーワードに対する検索要求があった際に、前記キーワードの検索とあわせて前記二次キーワードの検索も実行し、前記キーワードの検索結果と前記二次キーワードの検索結果を前記ＷＥＢページ生成部に送信することを特徴とする１から４のいずれか１項２に記載の地域情報検索システム。【００１９】６  地域情報検索システムは、キーワードにより検索した際に取得したいと想定される予め設定した複数の要約情報から成るダイジェスト情報を生成するダイジェスト情報生成部を備え、
前記ダイジェスト情報生成部からのダイジェスト情報に基づいて、前記ＷＥＢ生成部は、検索結果として検索結果の詳細情報と関連付けされたダイジェスト情報を表示するＷＥＢページを生成してユーザ端末に送信することを特徴とする１から５のいずれか１項に記載の地域情報検索システム。【００２０】７  前記地域情報検索システムは、前記ダイジェスト情報生成部は、予め設定された複数の要約情報項目を対象別に格納したダイジェスト情報テーブルを備えたことを特徴とする６に記載の地域情報検索システム。【００２１】８    ユーザ端末とインターネット回線を介して接続され、前記ユーザ端末により複数のエリアから選択された検索対象エリア内の地域情報を検索するための地域情報検索システムであって、
前記ユーザ端末に情報検索を含むポータルＷＥＢページ、検索画面、検索結果、検索結果に関連する情報を提供するＷＥＢページを生成し、生成したＷＥＢページをユーザ端末に送信するＷＥＢページ生成部と、
前記ユーザ端末からの検索要求に対して情報検索を行う情報検索部と、
キーワードにより検索した際に取得したいと想定される予め設定した複数の要約情報から成るダイジェスト情報を生成するダイジェスト情報生成部を備え、
前記ダイジェスト情報生成部からのダイジェスト情報に基づいて、前記ＷＥＢ生成部は、検索結果として検索結果の詳細情報と関連付けされたダイジェスト情報を表示するＷＥＢページを生成してユーザ端末に送信することを特徴とする地域情報検索システム。【００２２】９  前記ＷＥＢページ生成部は、前記端末から予め設定されたフォーマットに従って送信可能なコンテンツ情報送信機能を生成し、前記コンテンツ情報送信機能に基づいて前記ユーザ端末から送信されたコンテンツ情報をコンテンツサーバに格納することを特徴とする６から８のいずれか１項に記載の地域情報検索システム。【００２３】１０  前記地域情報検索システムは、予め設定されたフォーマットに従ってＷＥＢ検索を実行し、前記ＷＥＢ検索に従って収集した情報を前記コンテンツサーバに格納することを特徴とする６から８のいずれか１項に記載の地域情報検索システム。【００２４】１０  前記ＷＥＢページ生成部は、検索の際に使用した検索キーワードの表示スペース、検索結果表示スペース、紐づけ情報表示スペース、地図情報表示スペースを有するＷＥＢページを生成することを特徴とする６から９のいずれか１項に記載の地域情報検索システム。【００２５】１１  前記ＷＥＢページ生成部は、検索の際に使用した検索キーワードの表示スペース、検索結果表示スペース、紐づけ情報表示スペース、地図情報表示スペースを有するＷＥＢページを生成することを特徴とする６から１０のいずれか１項に記載の地域情報検索システム。【００２６】１２  さらに、特定分野の検索を行う目的検索スペース。検索結果の翻訳を行う翻訳スペース、前記地域情報検索システムとネットワーク回線で接続された広告管理サーバより送信された広告情報を表示する広告スペースの少なくとも１つを表示する表示スペースを有するＷＥＢページを生成することを特徴とする１１に記載の地域情報検索システム。【００２７】１３  １０または１１で生成されたＷＥＢページ。【００２８】１４  １から７および９から１２のいずれか１項に記載の地域情報検索システムにおいて、ユーザ端末により複数のエリアから選択された検索対象エリア内の地域情報の検索を実行する地域情報検索方法であって、
（工程１）  前記ユーザ端末からの検索要求に対して情報検索を行う工程と、
（工程２）  前記工程１で検索した結果を予め登録した中心地を起点として中心地から近い順から遠い順に並び変える工程と、
（工程３）  前記工程２で並び替えた検索結果に基づいてＷＥＢページを生成する工程と、
（工程４）  生成したＷＥＢページを前記ユーザ端末に送信する工程と、
を含むことを特徴とする地域情報検索方法。【００２９】１５  前記工程２において予め登録した中心地の補正を行うことを特徴とする１４に記載の地域情報検索方法。【００３０】１６  前記工程１は、前記ユーザ端末から要求されたキーワード検索に加えて前記検索項目に紐づけされた二次的キーワードによる検索も実行することを特徴とする１４または１５に記載の地域情報検索方法。【００３１】１７  前記工程３で並び替えた検索結果から検索結果の詳細情報と関連付けされたダイジェスト情報を表示するＷＥＢページを生成する工程を含むことを特徴とする１４から１６のいずれか１項に記載の地域情報検索方法。【００３２】１８  ８に記載の地域情報検索システムにおいて、ユーザ端末により複数のエリアから選択された検索対象エリア内の地域情報の検索を実行する地域情報検索方法であって、
（工程１）  前記ユーザ端末からの検索要求に対して情報検索を行う工程と、
（工程２）  工程１の検索結果から検索結果の詳細情報と関連付けされたダイジェスト情報を表示するＷＥＢページを生成する工程と、
（工程３）  生成したＷＥＢページを前記ユーザ端末に送信する工程と、
を含むことを特徴とする地域情報検索方法。【００３３】１９  １４から１８に記載の各工程を実行するためのプログラム。【００３４】２０  １９に記載のプログラムが格納されたコンピュータ可読記録媒体。
【発明の効果】
【００３５】  本発明によると地域情報を地域の中心地から順に取得することが可能である。また、検索者が最初の検索によって取得する当該情報と同時に他ジャンルに属する関連した情報（以下、「紐づけ情報」と呼ぶ。）を効率よく取得できるように、関連した複数ジャンルの情報を一括可能である。また、検索者が最初の検索によって表層的乍ら最も重要な複数の基礎的要約情報（以下、「ダイジェスト情報」と呼ぶ。）を効率よく取得できるように情報を一覧出来る形式で提供可能である。【００３６】  また、本発明では、文字入力による検索以外にも、地図や絵を使った検索方法、或いはマトリクス形式の検索方法など、複数の直観選択が可能な検索方法を併用して提供することで情報弱者も容易に、且つ、的確に検索が出来るようになる。
【図面の簡単な説明】
【００３７】
【図１】  本発明の地域情報検索システムの構成例を示す図面。
【図２】  本発明の地域情報探索システムにユーザ端末からアクセスした際の初期画面（ＷＥＢページ）の一例を示す図面。
【図３】  （ａ）〜（ｄ）は各々図２に示す初期画面からユーザ端末により操作を行う際の表示画面（ＷＥＢページ）の一例を示す図面。
【図４】  本発明の地域情報探索システムにおいてユーザ端末で地域情報を検索するためにマトリックス表示された検索画面（ＷＥＢページ）の一例を示す図面。
【図５Ａ】  本発明の地域情報探索システムにおいてユーザ端末で地域情報を検索するためにマトリックス表示された検索画面（ＷＥＢページ）の別の一例を示す図面。
【図５Ｂ】  本発明の地域情報探索システムにおいてユーザ端末で地域情報を検索するためにマトリックス表示された検索画面（ＷＥＢページ）の別の一例を示す図面。
【図６】  紐づけ情報およびダイジェスト情報を表示した検索結果の一例を示す図面。
【図７】  紐づけ情報およびダイジェスト情報を表示した検索結果の別の一例を示す図面。
【図８】  本発明の地域情報探索システムにおいてユーザ端末から本発明の地域情報検索システムにユーザが投稿する際に表示される表示画面（ＷＥＢページ）の一例を示す図面。
【図９】  本発明の地域情報探索システムにおいてユーザ端末から本発明の地域情報検索システムにユーザが企業情報・店舗情報を投稿する際に表示される表示画面（ＷＥＢページ）の一例を示す図面。
【図１０】  本発明の地域情報検索システムをネットワーク内で構成した構成例を示す図面。
【図１１】  本発明の検索方法におけるメイン処理を示すフローチャート。
【図１２】  本発明の検索方法におけるメイン処理に伴うカテゴリ検索処理を示すフローチャート。
【図１３】  本発明の検索方法における中心地の補正がある場合の処理フローを示すフローチャート。
【図１４】  本発明の検索方法における紐づけキーワード（二次キーワード）がある場合の処理フローを示すフローチャート。
【発明を実施するための形態】
【００３８】  以下、本発明の地域情報検索システムを添付図面に基づいて説明する。
図１に示す通り本発明の地域情報検索システム１００（以下、本システム１００という）は、ユーザ端末Ｔ１、Ｔ２、Ｔ３とインターネット回線を介して接続され、ユーザ端末Ｔ１、Ｔ２、Ｔ３により複数のエリアから選択された検索対象エリア内の地域情報を検索するための地域情報検索システムである。
【００３９】  本システム１００は、ＷＥＢページ生成部１０と、情報検索部２０と検索情報並べ替え・補正部２１とから主として構成され、所望によりビジネスコンテンツ３１、投稿コンテンツ３２、地域マトリックス３３、中心地設定テーブル３３等を備えたインデックステーブル３０、およびインターネット技術分野に周知のコンテンツサーバ４０、アグリゲーションサーバ５０、広告管理サーバ６０を備えていてもよい。
【００４０】  なお、本システムは、例えば１台のコンピュータシステム（サーバーシステム）で構成してもよいが、一般的にはネットワーク回線（一般にはインターネット回線）により接続された各種サーバより構成されるのが一般的である。すなわち、図１は、本発明の機能を説明する目的の図面であるが、実際の運用には図１０に示すようなネットワーク上に各機能が割り振られるのが一般的である（以下、適宜図１０参照）。
【００４１】  ＷＥＢ生成部１０は、報検索を含むポータルＷＥＢページ、検索画面、検索結果、検索結果に関連する情報を提供するＷＥＢページを生成し、生成したＷＥＢページをユーザ端末に送信するものであり、例えば、図２に示す初期画面（ＷＥＢページ）をユーザ端末Ｔ１、Ｔ２，Ｔ３に送信してユーザ端末Ｔ１、Ｔ２，Ｔ３の画面に表示させる。
【００４２】  なお、ユーザ端末Ｔ１、Ｔ２，Ｔ３は、インターネット回線を通じて本システム１００に相互通信可能な端末であれば特に限定されるものではなく、コンピュータシステム、タブレット、スマートフォン、携帯電話、相互通信可能なテレビなどが挙げられる。
【００４３】  また、生成する表示画面は、接続される端末Ｔ１、Ｔ２，Ｔ３の画面に応じて複数用意することができる。
【００４４】  情報検索部２０は、ユーザ端末から送信された検索地域が特定された検索項目に対して入力された所定のキーワード検索を実行するプログラムであって（検索エンジン）、ユーザ端末に入力された「キーワード」に紐づく、ネット上の情報を検索結果として表示する機能を有している。
【００４５】  検索情報並べ替え・補正部２１は、インデックステーブル３０と関連付けされた検索画面を表示するＷＥＢページ、検索結果を表示するＷＥＢページを生成し、ユーザ端末に送信するＷＥＢページ生成部と中心地設定テーブル３４に基づいて、例えば予め登録した地域情報の中心地の位置情報に基づいて、検索結果を並び替えする機能であり、中心地から近い順に検索情報を並び替える。また、本発明の特定の実施形態においては、検索情報並べ替え・補正部２１は例えば、中心地を例えばユーザ端末Ｔ１、Ｔ２、Ｔ３のＧＰＳ機能により取得したユーザ端末Ｔ１、Ｔ２、Ｔ３の現在地や、また例えばユーザ端末Ｔ１、Ｔ２、Ｔ３側が地域内で行う活動の拠点（例えば、観光を目的とした検索である場合は、宿泊場所、またはビジネスを目的とした検索である場合は、ビジネス訪問場所）を中心地として設定し、予め登録した中心地から補正を行う機能を有する。
【００４６】  なお、本発明における所定地域における中心地とは、単なる地図上の中心点を意味するものではなく、例えばビジネスであれば所定地域におけるビジネスの中心地や、飲食であれば飲食の中心地を意味し、訪問地や活動拠点がある場合はこれらを中心地として設定する。
【００４７】  そして、この所定地域の中心地を起点にして順次検索結果をユーザ端末Ｔ１、Ｔ２、Ｔ３に表示することが本システム１００の第１の特徴である。
【００４８】  そのため、本システム１００では、これらの検索目的に特化した初期画面（ＷＥＢページ、トップページ）を有している（例えば、図２参照）。
【００４９】  本システム１００をユーザ端末Ｔ１、Ｔ２、Ｔ３により使用する場合、従来周知の方法によりユーザ端末Ｔ１、Ｔ２、Ｔ３からインターネット回線を介して本システム１００にアクセスする。
【００５０】  ユーザ端末Ｔ１、Ｔ２、Ｔ３からインターネット回線を介して本システム１００にアクセスすると、例えば、図２に示すような初期画面（ＷＥＢページ、トップページ）が表示される。
【００５１】  例えば、ユーザ端末Ｔ１、Ｔ２、Ｔ３を操作するユーザが、本システム１００の使用方法を熟知していない場合、図３（ａ）に示すような「サイト名の上手な使い方」をクリック（またはタップ）することにより使用法を確認できる。
【００５２】  また、例えば図３（ｂ）に示すように地域を選択する場合、（ｈｅｒｅ）現在地から検索（福岡県福岡市中央区今泉）または地域を選択する（ｗｈｅｒｅ）で入力し、次いで図３（ｃ）に示す通り目的（検索項目）（ｗｈｅｒｅ）を選択して「ＧＯ」ボタンをクリック（またはタップ）することにより検索を開始することが可能である。
【００５３】  あるいは、図３（ｄ）に示すようにキーワードを直接入力して「ＧＯ」ボタンをクリック（またはタップ）することにより検索を開始することが可能である。
【００５４】（マトリックス表示）
本発明の好ましい実施形態において、本システム１００は、図４および図５に示すように検索項目をマトリックス表示すると便利である。
【００５５】  図４に示す実施形態は、地域、例えば福岡県・福岡市の地域情報を検索する場合、横軸に情報検索する地域の項目、縦軸にキーワードとなる検索項目が記載されたマトリックス（行例）で検索画面が表示される。
【００５６】  そして、各欄には「情報件数」と、「書き込む」の項目を備えており、「情報件数」をクリックすると関連情報が記載されたページに移り、「書き込む」をクリックすると投稿ページに移る（図８および図９参照）。このようにキーワードを予め用意しマトリックスで表示することにより、数多くの情報のうち、ユーザは１画面で知りたい情報へ直ちに移行が可能となる。このようなマトリックス表示とマトリックスからの検索は、例えば図１に示すマトリックステーブルに予め作成するマトリックステーブルを用意しておくことにより容易に実施可能となる。
【００５７】  なお、本発明者が調査したところ、１お勧め・穴場、２交通（ドライブ情報含む）、３宿泊、４観光、５ショッピング、６遊ぶ、７体験、８事処、９コンビニ、１０銀行・郵便局、１１医療、１２公共・警察・消防、１３イベント、１４ＨＥＬＰ、１５レンタカー・サイクル、１６ガソリンスタンド、１７駐車場、１８日常の買い物、１９教育・教養、２０文化、２１映画・ビデオ・ＣＤ、２２Ｆフード、２３カラオケ・ネットカフェ、２４理容・美容、２５トイレ、２６家電、２７車、２８売る・買う、２９住宅・不動産、３０引っ越し、３１鍵、３２冠婚葬祭、３３便利屋、３４仕事、３５アルバイト、３６その他の３６項目を検索項目としてマトリックス表示することにより、ユーザが知りたい情報のほとんどを網羅していることが分かった（図５Ａ参照）。
【００５８】  このように地域情報をマトリックス表示した画面（ＷＥＢページ）をユーザ端末Ｔ１、Ｔ２、Ｔ３に送信することにより、地域と項目の一覧表示により希望する情報へワンステップでアクセスできる、複数カテゴリ情報の一覧表示により、情報量の把握が容易となり、そして地域の細分化と、そのマトリックス表示に、並びにＧＰＳと連動させた中心点の設定と、そこからの距離による優先という設定によって（インデックス検索サイト側の悩みの種である）ＳＥＯ対策をほぼ無効化できるというメリットがある。
【００５９】  なお、マトリックス表示は、図４に示すような中粒度のもの、図５Ａに示すような詳細なものあるいは図５Ｂに示す通りスマートフォン等での閲覧に適する簡易マトリックス等種々の様式で生成することができる。なお、図５Ｂで示す真ん中の「（福岡市中央区）今泉」がメインで、予備的に広域の中央区も表示されるように構成している。
【００６０】  本発明の第２の特徴は、このようなマトリックス表示による表示画面から操作可能である点である。
【００６１】  なお、ユーザ端末Ｔ１、Ｔ２、Ｔ３からのマトリックス表示画面を介した投稿は、後述するコンテンツサーバへのユーザ端末Ｔ１、Ｔ２、Ｔ３からの投稿を実施する際に便利である。
【００６２】（紐づけ情報検索・表示）
本発明の特定の実施形態において、本システム１００は、このようなユーザ端末Ｔ１、Ｔ２、Ｔ３からの検索要求に対して、前述の通り、検索結果を中心地を起点として近い順に並べ替え、並べ替えた検索結果に基づいてＷＥＢページを生成してユーザ端末Ｔ１、Ｔ２、Ｔ３に送信するが、この際に本発明の好ましい実施形態ではキーワードに関連する二次的キーワードを紐づけして二次的キーワードで検索された紐づけ情報を同時に表示している。
【００６３】  このような紐づけ情報の検索は、予め紐づけ情報を用意しておいたり、例えば前述のマトリックステーブルで予め用意しておいたりすることで実施可能である。また、ユーザ端末Ｔ１、Ｔ２、Ｔ３からの連続して行われる検索要求における２番目以降のキーワードを解析することにより紐づけ情報を抽出することもできる。さらに、後述するユーザ端末Ｔ１、Ｔ２、Ｔ３からの投稿により紐づけ用のキーワードテーブルを構築することも可能である。
【００６４】  本発明の第３の特徴は、このように所定の検索項目（キーワード）に関する検索を実行した際に、当該検索項目と関連性の高い紐づけされた二次的キーワードを同時にまたは連続して実行し、二次的キーワードにより検索された紐づけ情報を所定のキーワードによる検索結果によって取得された情報と同時に表示することにより（表示画面用のＷＥＢページを生成してユーザ端末Ｔ１、Ｔ２、Ｔ３に送信することにより）、ユーザの複数の検索を回避することができるとともに、関連情報を一画面で閲覧可能となることである。
【００６５】（ダイジェスト情報）
本発明の最も好ましい実施形態においては、本システム１００は、キーワードにより検索した際に取得したいと想定される予め設定した複数の要約情報から成るダイジェスト情報を生成するダイジェスト情報生成部を備えている。
【００６６】  ダイジェスト情報とは、一般的には表層的乍ら最も重要な複数の基礎的要約情報をいう。より具体的には、例えばユーザがユーザ端末Ｔ１、Ｔ２、Ｔ３を介してキーワード検索、例えば所定地域の宿泊場所をキーワードとして、検索を実施する場合、目的名称の他に住所、電話番号、営業時間、料金を含むメニュー等である。従来の検索サイトの結果、目的名称の一覧以外、これらの情報を視覚的にワンストップで閲覧することはできなかった。
【００６７】  本発明においては、これらの複数のユーザ端末Ｔ１、Ｔ２、Ｔ３で視覚的に確認できる情報をダイジェスト情報としてユーザ端末Ｔ１、Ｔ２、Ｔ３で一括確認できるような情報群すなわち、「ユーザが取得したいと想定される予め設定した複数の要約情報から成る情報」が本発明でいう「ダイジェスト情報」である。
【００６８】  このダイジェスト情報は、文字情報だけでなく、画像情報、イメージ情報およびこれらの組み合わせから構成することができる。
【００６９】  本発明において、検索結果をダイジェスト情報として表示するために、ダイジェスト情報生成部２２を、本システム１００に設けるが、ダイジェスト情報生成部２２は、予め設定された複数の要約情報項目を対象別に格納したダイジェスト情報テーブル３５を設け、このダイジェスト情報テーブルを参照してダイジェスト情報テーブルを取得できる。
【００７０】  本発明者は、このようなダイジェスト情報テーブルの更新は、前述したマトリックス表示と非常に相性が良いことを見出した。すなわち、マトリックス表示により表示された情報が予めダイジェスト情報表示可能となるように設定したり、マトリックス表示により投稿するフォーマットをダイジェスト情報を更新するようなフォーマットとすることで、マトリックス表示とダイジェスト情報表示の両方を本システムに取り入れることが好ましい。
【００７１】  なお、このようなダイジェスト表示を伴う情報検索システム（後述する情報検索方法）は、新規の考え方である。したがって、本発明は、ユーザ端末とインターネット回線を介して接続され、前記ユーザ端末により複数のエリアから選択された検索対象エリア内の地域情報を検索するための地域情報検索システムであって、前記ユーザ端末に情報検索を含むポータルＷＥＢページ、検索画面、検索結果、検索結果に関連する情報を提供するＷＥＢページを生成し、生成したＷＥＢページをユーザ端末に送信するＷＥＢページ生成部と、前記ユーザ端末からの検索要求に対して情報検索を行う情報検索部と、キーワードにより検索した際に取得したいと想定される予め設定した複数の要約情報から成るダイジェスト情報を生成するダイジェスト情報生成部を備え、前記ダイジェスト情報生成部からのダイジェスト情報に基づいて、前記ＷＥＢ生成部は、検索結果として検索結果の詳細情報と関連付けされたダイジェスト情報を表示するＷＥＢページを生成してユーザ端末に送信することを特徴とする地域情報検索システムまで拡張される。
【００７２】  このようなダイジェスト情報の各要素は、当該ダイジェスト情報の元となる詳細情報とリ関連付けされている。例えば、検索結果の「目的の名称」部分に詳細情報をリンクさせることにより、ダイジェスト情報表示により全体をオバービューした後、興味ある情報の詳細情報を閲覧することが可能となる。このことは、本発明の第４の特徴である。すなわち、検索サイト１等での検索では、リンクされたサイトに移行しないと必要な情報が得られないのに対して、本発明ではダイジェスト情報として検索結果の概要を知ることが可能となる。
【００７３】  このように、本発明の地域情報検索システムは、必要な情報をインデックスとして視覚的に確認でき、これらのインデックス情報（ダイジェスト情報）から必要な詳細情報へと容易にたどり着くことが可能となる。また、例えば現地へのアクセス経路などの追加情報が必要な場合は、本システムが保有するコンテンツおよび／または地図情報を提供する他のサイトが提供する機能と連携してユーザ端末にてポップアップ表示等により容易に情報の入手が可能となる。
【００７４】  本発明の最も好ましい実施形態において、本システム１００の検索結果は、図６や図７に示す通り、検索の際に使用した検索キーワードの表示スペース、検索結果表示スペース、紐づけ情報表示スペース、地図情報表示スペースを有するＷＥＢページとして生成されることが好ましく、より好ましくは特定分野の検索を行う目的検索スペース。検索結果の翻訳を行う翻訳スペース、前記地域情報検索システムとネットワーク回線で接続された広告管理サーバより送信された広告情報を表示する広告スペースの少なくとも１つを表示する表示スペースを有するＷＥＢページを生成することが好ましい。
【００７５】  すなわち、本実施形態は、紐づけ情報検索・表示とダイジェスト情報表示の両方を兼ね備えた例を示すものである。
【００７６】  より具体的には、例えば今泉（地域）−宿泊（検索項目）でキーワード検索を実行した際に、検索を実行したキーワードを表示する検索キーワードの表示スペースには、検索を実行したキーワード「今泉−宿泊」が表示され、検索結果のスペース」には、目的名称の他に、住所、電話番号、ＵＲＬ、営業時間、メニュー（料金含む）、クーポン情報、お知らせ（店舗情報、利用方法、アクセス方法など）、レビュー、等が、中心地を起点として中心地に近い順に表示される。
【００７７】  「検索結果との紐づけ情報のスペース」には、検索結果情報と関係性の高い情報−例えば、名所・旧跡などの「観光地」であれば周辺の宿泊や食事処、観光案内所、ガイド情報、観光バス、観光タクシー、通訳など−が検索できるテキスト形式の情報が表示される。
【００７８】  なお、本システム１００において、前述した地域に関する情報や企業・店舗情報を端末Ｔ１、Ｔ２、Ｔ３を介して本システム１００に投稿する際には、図８や図９に示す通り、ユーザ端末１、Ｔ２、Ｔ３から所定のフォームに従って投稿することが好ましい。また、地域情報の中心地を端末Ｔ１、Ｔ２、Ｔ３からのＧＰＳ等機能から送信された現在地とする場合にはロケーションサーバにより現在地が管理される。
【００７９】  以上、本システム１００の実施の形態を説明したが、本システム１００は、これに限定されるものではない。例えば、本発明における用語地域情報検索システムは、地域情報検索システムを有するポータルサイト運営システムと同義であり、例えば所定地域を活性化させるポータルサイト運営システム、テーマパーク、所定杭域内の観光地用のポータルサイト運営システム、テーマパーク用の案内システム等も本発明の範囲内である。
【００８０】  また、本システム１００を図１に示す通り機能的なブロックに分けて説明したが、本システム１００は、インターネット上で運営されるシステムであり、実際の各機能は、図１０に示すように分散されて本システム１００を構成するものである。
【００８１】  例えば、図８、図９で説明したユーザ端末Ｔ１、Ｔ２，Ｔ３からの投稿は、図１０に示す投稿コンテンツ、ビジネスコンテンツに格納され、ＷＥＢページ生成部１０、情報検索部２０、検索情報並べ替え・補正部２１、ダイジェスト情報生成部２２等は、図１０に示すＷＥＢサーバ／アプリケーションサーバに格納されたプログラムとして構成される。また、図９に示すＷｅｂページは、図１０に示すビジネスコンテンツ及び２１メディアアーカイブより表示される。
【００８２】  さらに、情報表示する各コンテンツは、本システム１００内だけでなく、例えば既存の地図情報運営サイトや動画運営サイト等にあるものを利用することも本発明の範囲内である。
【００８３】  また、本システム１００は、選択した地域からの中心地からの順次情報をメインに説明したが、マトリックス表示システム、紐づけ情報表示システム、ダイジェスト情報表示システム等の各検索システムも新規であり、これらのシステムも本発明の範囲内である。
【００８４】（検索方法・プログラム）
次に本発明の地域情報検索システムを実行するための実行方法および実行プログラムを添付図面に基づいて説明する。
【００８５】  本発明の検索方法および検索プログラムのメイン処理および処理に伴うカテゴリ検索処理は図１１および図１２に示す通りである。
【００８６】  本発明において、例えば、本発明における地域情報検索方法において、中心地の補正がある場合の図１３に示すような手順で実行され、そして、紐づけ情報を表示する場合には図１４に示すような手順で実行される。
【００８７】  このような検索方法は、当該検索方法を実行するプログラムにより具現化される。従って本発明は、検索プログラムおよび当該検索プログラムを格納した記録媒体まで拡張される。
【００８８】  以上説明した通り、本発明の地域情報システムは、ユーザ端末側からの要求に応じて紐づけ情報等を改良更新することが可能であり、一方検索結果は、地域中心地を起点にして客観的に表示し、第三者の意思等の検索結果の表示を変えることはない。
【００８９】  紐づけ情報を同時に検索しユーザ端末画面に表示させることによって、検索情報に関連した情報を一括取得できる。特に、検索キーワードの表示スペース、検索結果表示スペース、紐づけ情報表示スペース、地図情報表示スペースを有するＷＥＢページとして生成されることが好ましく、より好ましくは特定分野の検索を行う目的検索スペース。検索結果の翻訳を行う翻訳スペース、前記地域情報検索システムとネットワーク回線で接続された広告管理サーバより送信された広告情報を表示する広告スペースの少なくとも１つを表示する表示スペースから構成される検索結果画面（ＷＥＢページ）をユーザ端末に提供することで視覚的に検索結果の概略、関連情報などを一括して閲覧可能であり、これらの中からユーザの希望に応じて詳細情報を取得可能となる。
【符号の説明】
【００９０】１０  ＷＥＢページ生成部
２０  情報検索部
２１  検索情報並べ替え・補正部
２２  ダイジェスト情報生成部
３０  インデックステーブル
３１  ビジネスコンテンツ
３２  投稿コンテンツ
３３  地域マトリックス
３４  中心地設定テーブル
４０  コンテンツサーバ
５０  アグリゲーションサーバ
６０  広告管理サーバ
１００  地域情報検索システム
Ｔ１、Ｔ２、Ｔ３  ユーザ端末
【図１】
2018005867.tif 000003
【図２】
2018005867.tif 000004
【図３】
2018005867.tif 000005
【図４】
2018005867.tif 000006
【図５Ａ】
2018005867.tif 000007
【図５Ｂ】
2018005867.tif 000008
【図６】
2018005867.tif 000009
【図７】
2018005867.tif 000010
【図８】
2018005867.tif 000011
【図９】
2018005867.tif 000012
【図１０】
2018005867.tif 000013
【図１１】
2018005867.tif 000014
【図１２】
2018005867.tif 000015
【図１３】
2018005867.tif 000016
【図１４】
2018005867.tif 000017